(57)【要約】吸収性製品はトップシート（１０）、吸収性芯（１６）、およびトップシートと芯の間の捕捉分配層（１５）を有する。トップシートは水へ親和性を有し、従って幾分親水性であるが疎水性ではない。捕捉分配層はトップシートより親水性であり、それによって、トップシートと捕捉分配層の間に表面エネルギー勾配を作る。トップシートは好適には形成されたフィルムであるが、不織布であってもよい。トップシートと捕捉分配層のいずれかの水への親和性は界面活性剤、コロナ処理、材料の選択または以上の組み合わせを用いて作りうる。
2005533561.tif 000002
【特許請求の範囲】
【請求項１】
親水性であるトップシート；
吸収性芯；および
前記トップシートと前記トップシートよりもより親水性である前記吸収性芯との間の捕捉分配層：
を含む吸収性製品。
【請求項２】
当該トップシートが開口された形成フィルムである、請求項１に記載の吸収性製品。
【請求項３】
当該トップシートが不織布である、請求項１に記載の吸収性製品。
【請求項４】
捕捉分配層が開口された形成フィルムである、請求項１に記載の吸収性製品。
【請求項５】
捕捉分配層が高い空隙容量を有する、請求項４に記載の吸収性製品。
【請求項６】
トップシートが不織布であり；
捕捉分配層が高い空隙容量を有する開口された真空形成フィルムである；
請求項１に記載の吸収性製品。
【請求項７】
トップシートが、約９秒から約１２０秒のバスケット沈没時間を有する、請求項１に記載の吸収性製品。
【請求項８】
捕捉分配層が約２０秒未満のバスケット沈没時間を有する、請求項１に記載の吸収性製品。
【請求項９】
トップシートが約９秒から約１２０秒のバスケット沈没時間を有し；
捕捉分配層が約９秒未満のバスケット沈没時間を有する、請求項１に記載の吸収性製品。
【請求項１０】
トップシートが約９秒から約６０秒のバスケット沈没時間を有する、請求項１に記載の吸収性製品。
【請求項１１】
捕捉分配層が約１０秒未満のバスケット沈没時間を有する、請求項１に記載の吸収性製品。
【請求項１２】
トップシートが約９秒から約６０秒のバスケット沈没時間を有し、捕捉分配層が約９秒未満のバスケット沈没時間を有する、請求項１に記載の吸収性製品。
【請求項１３】
トップシートが約１２０秒未満のバスケット沈没時間を有し、捕捉分配層がトップシートのバスケット沈没時間よりも少なくとも約３秒少ないバスケット沈没時間を有する、請求項１に記載の吸収性製品。
【請求項１４】
トップシートが約１２０秒未満のバスケット沈没時間を有し、捕捉分配層がトップシートのバスケット沈没時間よりも少なくとも約５秒少ないバスケット沈没時間を有する、請求項１に記載の吸収性製品。
【請求項１５】
親水性である開口された形成フィルムのトップシート；
吸収性芯；および
前記トップシートと前記トップシートよりもより親水性である前記吸収性芯との間の捕捉分配層：
を含む吸収性製品。
【請求項１６】
捕捉分配層が高い空隙容量を有する、請求項１５に記載の吸収性製品。
【請求項１７】
トップシートが約２０秒から約１２０秒のバスケット沈没時間を有する、請求項１５に記載の吸収性製品。
【請求項１８】
捕捉分配層が約２０秒未満のバスケット沈没時間を有する、請求項１５に記載の吸収性製品。
【請求項１９】
トップシートが約２０秒から約１２０秒のバスケット沈没時間を有し、捕捉分配層が約２０秒未満のバスケット沈没時間を有する、請求項１５に記載の吸収性製品。
【請求項２０】
トップシートが約３０秒から約６０秒のバスケット沈没時間を有する、請求項１５に記載の吸収性製品。
【請求項２１】
捕捉分配層が約１０秒未満のバスケット沈没時間を有する、請求項１５に記載の吸収性製品。
【請求項２２】
トップシートが約３０秒から約６０秒のバスケット沈没時間を有し、捕捉分配層が約１０秒未満のバスケット沈没時間を有する、請求項１５に記載の吸収性製品。
【請求項２３】
親水性である不織布トップシート；
吸収性芯；および
前記トップシートと前記トップシートよりもより親水性である前記吸収性芯との間の捕捉分配層：
を含む吸収性製品。
【請求項２４】
捕捉分配層が開口された形成フィルムである、請求項２３に記載の吸収性製品。
【請求項２５】
捕捉分配層が高い空隙容量を有する、請求項２４に記載の吸収性製品。
【請求項２６】
トップシートが約９秒から約１２０秒のバスケット沈没時間を有する、請求項２３に記載の吸収性製品。
【請求項２７】
捕捉分配層が約６秒未満のバスケット沈没時間を有する、請求項２３に記載の吸収性製品。
【請求項２８】
トップシートが約９秒から約１２０秒のバスケット沈没時間を有し、捕捉分配層が約６秒未満のバスケット沈没時間を有する、請求項２３に記載の吸収性製品。
【請求項２９】
トップシートが約９秒から約６０秒のバスケット沈没時間を有する、請求項２３に記載の吸収性製品。
【請求項３０】
捕捉分配層が約４秒未満のバスケット沈没時間を有する、請求項２３に記載の吸収性製品。
【請求項３１】
トップシートが約９秒から約６０秒のバスケット沈没時間を有し、捕捉分配層が約４秒未満のバスケット沈没時間を有する、請求項２３に記載の吸収性製品。
【請求項３２】
トップシートが約１２０秒未満のバスケット沈没時間を有し、捕捉分配層が少なくとも約５秒未満のバスケット沈没時間を有する、請求項１５に記載の吸収性製品。
【請求項３３】
トップシートが約１２０秒未満のバスケット沈没時間を有し、捕捉分配層がトップシートのバスケット沈没時間よりも少なくとも約５秒少ないバスケット沈没時間を有する、請求項２３に記載の吸収性製品。
【発明の詳細な説明】
【技術分野】
【０００１】
（先出願との相互参照）
本出願は２００２年７月２３日出願の米国特許出願第１０／２０２，２５３「トップシートと捕捉分配層（acquisition distribution layer）の間に表面エネルギー勾配を有する吸収性製品」からの優先権を主張する。
【０００２】
（技術分野）
本発明は衛生ナプキン、使い捨ておむつ、成人失禁ブリーフおよび類似品のような吸収性製品に関する。より具体的には、本発明はトップシート、吸収性芯、およびトップシートと吸収性芯の間の捕捉分配層（獲得分配層）を含む吸収性製品に関する。
【背景技術】
【０００３】
（関連技術の記載）
吸収性製品の最も一般的なデザインは、ユーザーに面したトップシートに隣接し、反対側のバックシートに隣接した吸収性芯である。吸収性芯は体液または排出物を吸収する。トップシートは吸収性芯への、および吸収性芯からの液体の流れを制御し、芯をユーザーからマスクする。バックシートは吸収性芯からユーザーの衣服またはベッドライン（bed line）への液体の流れを防ぐ。
【０００４】
ユーザーの特別なニーズに合うように、これらの３つの基本的項目を調整してよい。例えば、吸収性芯の厚みは、低液体容量には減らしても良い。超吸収性高分子を芯に加えて、その性能を大幅に改善してもよい。トップシートの材料と織物を調整して、より布様の感触、絹様の感触または綿様の感触、または消費者の好みに従ってより大きなマスキングを作っても良い。これに関して、用途または消費者の好みに応じて、不織布材料または形成フィルムを選んでも良い。
【０００５】
バックシートは、それが望ましい場合は呼吸可能なように、またはより布様に作っても良い。トップシートは当初、その柔らかい感触のために受け入れられる不織布材料であった。しかし、不織布のトップシートは再濡れ（rewet）を防がない。再濡れは芯が圧迫され、芯内の液体がトップシート表面に戻り、ユーザーに湿り感を起こすときに感じられる。再濡れを避けるために、形成フィルムのトップシートが発明された。Ｔｈｏｍｐｓｏｎの米国特許第３，９２９，１３５号は、液体を吸収性芯に適切に送るトップシートとして使用される、先細の特別な範囲とデザインを有する、相互連結した毛細管のネットワークの中に変形された、疎水性高分子の非透過性ウェブ（web）を記載した最初のものである。
【０００６】
再濡れを避けるのに特に機能的なもう１つのトップシートが、Ｍｕｌｌａｎｅの米国特許第４，３２４，２４６号に記載されている。本明細書では、疎水性高分子が、Ｅｑｕｉｖａｌｅｎｔ  Ｈｙｄｒａｌｉｃ  Ｄｉａｍｅｔｅｒの非常に特別なパラメーター、ロフト（loft）および開放領域（open area）を有する３次元の開口された織物（web）に形成される。
【０００７】
その後、疎水性の形成フィルムは、機能的吸収性用具に要求される必要な液体の獲得速度（acquisition rate）に関して、性能がよくないことが教示された。もしも、トップシートが適切な速度で液体の放出を獲得できない場合は、おむつは足の領域に漏れる。Ｔｈｏｍａｓの米国特許第４，３５１，７８４号，４，４５６，５７０号および４，５３５，０２０号は、如何に親水性表面が周知の再濡れの防止を犠牲にせずに、液体獲得の性能を増強するかを示す。ＡｚｉｚのＵ．Ｓ．Ｓｔａｔｕｔｏｒｙ  Ｉｎｖｅｎｔｉｏｎ  Ｒｅｇｉｓｔｒａｔｉｏｎ  Ｈ１，６７０は、不織布単独では再濡れが防止できない場合に、再濡れを防止するために、芯とトップシート、特に不織布のトップシートの間に、如何に形成フィルムのトップシート材料を置くことができるを記載している。ＣｏｌｂｅｒｔのＷＯ９２／１８０７８およびＣｕｒｒｏの米国特許第５，３５２，２１７号は、更に再濡れを防止するための穴あきフィルムの２層の使用を教示している。共同譲渡、同時継続中の出願番号０９／６６８６４９に、捕捉分配層として有用な革新的な材料が記載され、当該材料は、ユーザーの皮膚を実際に湿り感覚なく保ちながら、繰り返しの放出からの、液体の側部の分布に十分に高い空隙容量空間を有する。
【０００８】
本発明は、ユーザーに乾燥感と、より優れた性能を生じる、トップシートと捕捉分配層とのより効果的な関係を有する吸収性製品である。
【発明の開示】
【課題を解決するための手段】
【０００９】
（発明の要約）
吸収性製品はトップシート、吸収性芯、トップシートと芯の間の捕捉分配層を含んでよい。トップシートは通常水への十分な親和性を有し、従って幾分親水性であるが、疎水性ではない。捕捉分配層はトップシートより親水性であり、それによって、トップシートと捕捉分配層の間に表面エネルギー勾配を作る。トップシートは、好適には形成フィルムであるが、多数の不織布、特にトップシートとしての使用が周知の不織布も適切に機能する。形成フィルムの捕捉分配層は、高い空隙容量を有することが好ましい。空隙容量が少ない、他の種類の形成フィルムもまた適切に機能する。トップシートと捕捉分配層のいずれかの水への親和性のレベルは、界面活性剤、コロナ処理、材料の選択または以上の組み合わせを用いて作りうる。
【００１０】
（発明の例示的実施形態の詳細な説明）
本発明は、３次元の開口された形成フィルムの捕捉分配層を有する吸収性製品に関する。吸収性製品の例には、おむつ、失禁用品、衛生ナプキンおよび類似品が含まれる。
【００１１】
（定義）
この用途の目的に対して、「吸収性製品」は体の排泄物のような液体を吸収し、含む製品を意味する。より具体的には、この用語は、体から排泄される各種の滲出物を吸収し、含むために、着用者の体に対してまたは体の近くに置かれる物を意味する。本明細書に用いられるように、用語「吸収性製品」は体の滲出物を吸収するためのおむつ、失禁用品、衛生ナプキン,パンチライナー（pantiliner）、傷用包帯、手術着およびその他の製品を含むことを意図している。
【００１２】
「おむつ」と云う用語は、足の間に引き上げられ、装着者の腰の周りに縛られる、通常幼児および失禁者が着用する衣服を意味する。先行技術のおむつの例は、Ｄｕｎｃａｎらの１９６７年１月３１日付米国特許第２６，１５２号；Ｂｕｅｌｌの１９７５年１月１４日付米国特許第３，８６０，００３号、Ｗｅｉｓｍａｎｎらの１９８６年９月９日付米国特許第４，６１０，６７８号、Ｗｅｉｓｍａｎｎらの１９８７年６月１６日付米国特許第４，６７３，４０２号、Ｌａｕｓｏｎの１９８７年９月２２日付米国特許第４，６９５，２７８号、Ｂｕｅｌｌの１９８７年１１月３日付米国特許第４，７０４，１１５号、Ａｌｅｍａｎｙらの１９８９年５月３０付米国特許第４，８３４，７３５、Ａｎｇｓｔａｄｔの１９８９年１２月１９日付米国特許第４，８８８，２３１号およびＡｚｉｚらの１９９０年３月２０日付米国特許第４，９０９，８０３号に記載されている。
【００１３】
用語「失禁用品」は、着用者が成人であるか他の失禁者であるかを問わず、おむつ、挿入物、パッド、例えばベルトまたは他の用具のような懸垂システムで保持されるパッド、吸収性製品の挿入物、吸収性製品の容量ブースター（capacity booster）、ブリーフ、ベッドパッドおよび類似品を意味する。失禁用品の例にはＳｔｒｃｋｌａｎｄらの１９８１年３月３日付米国特許第４，２５３，４６１号；Ｂｕｅｌｌの米国特許第４，５９７，７６０号および米国特許第４，５９７，７６１号、Ａｈｒらの上記の米国特許第４，７０４，１１５号、４，９０９，８０２号；Ｇｉｐｓｏｎらの１９９０年１０月２３日付米国特許第４，９６４，８６０号およびそれぞれＮｏｅｌらおよびＦｅｉｓｔらの１９９１年１月３日付米国出願第０７／６３７，０９０号および０７／６３７，５７１号に記載されているものが含まれる。
【００１４】
用語「衛生ナプキン」は、陰部領域に隣接して女性に着用される、例えば血液、月経および尿のような体から排泄される各種の滲出物を吸収し、含むために意図された製品を意味する。衛生ナプキンの例は、１９８１年８月２５日付ＭｃＮａｉｒの米国特許第４，２８５，３４３号；それぞれ１９８６年５月２０日および１９８７年８月１８日付Ｖａｎ  Ｔｉｌｂｕｒｇの米国特許第４，５８９，８７６号、４，６８７，４７８号およびそれぞれ１９９０年４月１７付および１９９１年４月１６日付Ｏｓｂｏｒｎらの米国特許第４，９１７，６９７号および５，００７，９０６号；およびそれぞれ１９９０年８月２１日および１９９１年４月２３付Ｏｓｂｏｒｎの米国特許第４，９５０，２６４号および５，００９，６５３号；およびＶｉｓｓｃｈｅｒらの１９９０年１０月２９日付米国特許出願第０７／６０５，５８３号に開示されている。
【００１５】
用語「パンチライナー」は、一般に女性が月経期の間に着用する衛生ナプキンよりも嵩の低い吸収性製品を意味する。パンチライナーの例は１９８８年４月１９日付Ｏｓｂｏｒｎの米国特許第４，７３８，６７６号「パンチライナー」に開示されている。
【００１６】
用語「勾配」は、水に対する親和性の大きな違いを意味する。本用途では、トップシートと捕捉分配層の間の勾配に焦点をあてる。Ｃｕｒｏの５，３５２，２１７およびＣｏｌｂｅｒｔのＷＯ９２／１８０７８に示されているように、トップシートの開口、即ち毛細管径がトップシートの下の第二の層のそれよりもサイズが大きい場合に生じる。しかし、本発明において、勾配の差は２つの材料の間の表面エネルギーの勾配の差によって生じる。本発明の好ましい実施形態では、捕捉分配層の開口はトップシートの開口よりも大きく、ＣｏｒｒｏとＣｏｌｂｅｒｔの教示に直接抵触する。
【００１７】
本明細書に使われているように、用語「フォビック」および「フィリック」は、それぞれ疎水性と親水性を意味する。これらの用語は、材料の水との親和性に関係する。疎水性の材料は水との親和性が低く、水は表面上で玉になる傾向がある。親水性の材料は水との親和性が高く、水はその上で広がる傾向がある。材料が疎水性であるか親水性であるかは、通常、材料の表面上の水滴の接触角を試験して決定される。フィルムが疎水性である場合は、水は高い玉を形成し、接触角は非常に大きい。フィルムが親水性である場合は、水は表面に親和性を有し、平らになり、非常に小さな角度を形成する。この試験はＡＳＴＭ  Ｄ  ５９４６−９９であり、当産業分野において周知である。
【００１８】
残念ながら、接触角試験を行うためには、フィルムは連続した均一な平坦な表面を有さなければならない。形成されたフィルムは、均一でも平坦でもない。フィルムの３次元形は接触角法に十分に平坦な領域を提供しない。もしも加熱ローラー間のサンプルの平坦化を試みる場合、ポリマーよりも低い粘度を有する界面活性剤は置き換えてもよく、形成されたフィルム自身の特性の真の指標を示さない。
【００１９】
従って、もう１つの試験−Ｅｕｒｏｐｅａｎ  Ｄｉｓｐｏｓａｂｌｅ  ａｎｄ  Ｎｏｎｗｏｖｅｎ  Ａｓｓｏｃｉａｔｉｏｎ(ＥＤＡＮＡ)ＥＲＴ１０．３−９９．に基づくバスケット沈没時間試験が考案された。この試験では、直径約５０ｍｍで、長さが約８０ｍｍの細い銅線でできた小いさなバスケットが用いられる。試験するフィルムは、総重量５グラムの直角形の層に切断され、ついでロールされ、バスケットに挿入される。水との親和性は水道水中で、材料のバスケットの沈降速度で測定する。フィルムが親水性である場合は、その表面の液体へ親和性によって、液体は、不織布であれ、または３次元の開口されたフィルムであれ、その材料の多数のロールアップされた層間に存在する空隙またはエアーポケットの中に曳きこまれる。水との親和性が高い程、材料は速く沈む。水との親和性が低い程、遅く沈む。疎水性である無処理ポリオレフィンフィルムは沈まない。この用途の目的のために、もしもバスケット沈降時間が１２０秒以上であれば、その材料は「疎水性」で、バスケット沈降時間が１２０秒未満であれば、その材料は「親和性」であると見なされる。試験を以下に詳述する。
【００２０】
すべての特許、特許出願およびそれから発行されるすべての特許、および対応した公開外国特許出願および本特許出願を通して挙げた文献を参考資料として、本明細書に組み入れる。本明細書に参考として組み入れたすべての文書が、本発明を教示または開示することは明示的に認められていない。本明細書に記載したすべての商業的に利用できる材料または製品が本発明を教示または開示することは明示的に認められていない。
【００２１】
吸収性製品：
図１を参照して、通常の吸収性製品１０の単純化した断面図を示す。しかし、図１は例示の目的だけに示したものと理解すべきで、吸収性製品の特別な型または形状を制限するためと解釈すべきでない。図１に示したように、吸収性製品１０は基本的にトップシート１２、バックシート１４、捕捉分配層１５および吸収性芯１６を含む。吸収性芯１６は側面１７に面したトップまたはボディーを有する。
【００２２】
吸収性製品１０には、ボディーを含む表面、即ちボディー表面１８と衣服を含む表面、即ち衣服表面２０の２つの表面がある。ボディー表面１８は、着用者の体に隣接して着用することが意図されている。吸収性製品１０の衣服表面２０（図１）は反対側にあり、吸収性製品１０を着用するときは、着用者の下着または衣服に隣接して置かれるように意図されている。
【００２３】
吸収性製品１０の個別の構成成分を詳細に示す。トップシート１２は順応性があり、軟らかい感触で、着用者の皮膚に刺激性がない。更にトップシート１２は開口され、従って液体透過性で、その厚みを通して液体が容易に透過できる。トップシート１２は、ボディーに面する側３２（図１）と、衣服に面する側３４（図１）とを有する。吸収性芯１６はトップ、即ちボディーに面する側１７を有する。この出願明細書の残り部分を通し、類似した構成成分は本発明のすべての実施形態について同一の番号を共有し、例えば「トップシート」は、各実施形態で番号１２によって示される。
【００２４】
トップシート１２は、開口された形成フィルム層で作られることが好適であるが、不織布、穴あき不織布、または不織布とフィルムの穴あき複合体であってもよい。
【００２５】
トップシート１２は、捕捉分配層１５（図１）に結合していることが好適であるが、いくつかの実施形態では、トップシート１２は結合されず、その代わり、捕捉分配層１５に接触して置かれている。捕捉分配層１５がトップシート１２と吸収性芯１６の間にあることが重要である。
【００２６】
トップシートのこの態様は、形成されたフィルムの表面エネルギーのレベルほど重要でないので、トップシート１２は、選択されたパターンの平面図、またはセルの形の断面図において、当技術分野で以前から周知のいかなる幾何形状またはデザインであってもよい。
【００２７】
形成フィルムの捕捉分配層
形成フィルムの捕捉分配層１５は、好適にはランオフ（run off）パーセントが約１０％未満で、先細毛細管を通る液体流速が増加する、先細毛細管を有する開口された熱可塑性プラスチックフィルムである。そのようなフィルムを作る方法には、それぞれ「穴あきフィルム」および「穴あきフィルムの処理」の名称のＴｈｏｍａｓらの米国特許第４，５３５，０２０号および４，４５６，５７０号に教示されている二重表面処理が含まれる。米国特許第４，５３５，０２０号および４，４５６，５７０号を参考のために本明細書に組み入れてある。本方法は、１つの表面処理は内部化学添加剤、即ち界面活性剤をフィルム形成ポリオレフィン樹脂に加えることによって提供される。添加剤は、樹脂からフィルムが形成されるに先立って、配合されるか、または樹脂と混合される。フィルムが形成された後、化学添加剤に作用して、ランオフがゼロ％またはゼロに近い％の開口されたフィルムを提供する、コロナ放電で処理して他の表面処理が達成される。コロナ処理単独または樹脂添加易動性界面活性剤単独のいづれかが適用できることを理解すべきである。特に幾つかの新しい界面活性剤では、コロナ処理と樹脂添加界面活性剤の併用の相乗効果はあまり劇的でない。
【００２８】
開口されたプラスチックフィルム１５は、通常トップシート１２と吸収性芯１６の間に位置する。図２に示すように、開口されたプラスチックフィルム１５は、それぞれが基底開口部５２と先端開口部５４を有する、複数の先細毛細管５０を有する３次元構造である。開口部５４の先端は、吸収性芯１６と緊密に接触している。
【００２９】
開口されたプラスチックフィルム１５は通常、液体を通さない熱可塑性材料から製造される。１つの適した材料は、平均計算厚みが０．０００５から０．００４５インチ（０．００１２７から０．０１１４ｃｍ）を有する低密度ポリエチレンフィルムである。通常の開口されたプラスチックフィルム１５の製造に使用する熱可塑性材料は、一般にポリエチレン、エチレン共重合体、ポリプロピレン、プロピレン共重合体、ポリ塩化ビニル、澱粉ベースの樹脂、ポリビニルアルコール、ポリウレタン、ポリエステル、セルローズ、イオノマー、ナイロンまたはその組み合わせからなる群から選ばれる。
【００３０】
１つの典型的な実施形態では、１９７５年１２月付Ｔｈｏｍｐｓｏｎの米国特許第３，９３９，１３５号に規定されている方法、サイズ、形状および配向の複数の先細毛細管を有する熱可塑性材料が提供されている。他の典型的な開口されたプラスチックフィルムは、１９８２年４月１３日付のＭｕｌｌａｎｅらの米国特許第４，３２４，２４６号、１９８２年８月３日付Ｒａｄｅｌらの米国特許第４，３４２，３１４号および１９８２年３月２日付Ｒａｌｅｙらの米国特許第４，３１７，７９２号に開示されている。開口されたプラスチックフィルム１５は、他の型の開口されたプラスチックフィルムから構成することもできる。使用されるフィルムの型は、トップシート１２の製造中にフィルムが受ける加工の型に依存する。開口されたフィルムの他の型には、油圧形成（hydro-formed）フィルムが含まれるが、これに限定されない。油圧形成フィルムは、Ｃｕｒｒｏらの米国特許第４，６０９，５１８号、第４，６９５，６４３号、第４，６９５，４２２号、第４，７７２，４４４号、第４，７７８，６４４号および第４，８３９，２１６号およびＱｕｅｌｌｅｔｔｅらの米国特許第４，６３７，８１９号の少なくともいくつかに記載されている。
【００３１】
通常、トップシート１２と開口されたプラスチックフィルム１５は、面と面の関係で置かれる。２つの成分は固定されても、されなくてもよい。２つの成分は固定された場合、様々な方法で相互に固定される。不織布と開口されたプラスチックフィルム１５を固定する通常の方法には、接着剤、熱接着および／または圧着を含む溶融、超音波およびクリンピングのような動的機械的接着が含まれるが、これに限定されない。通常、捕捉分配層は、おむつの全表面の同じ面積領域をカバーせず、より中心の小さな領域をカバーする。また、好ましい実施形態では、獲得層はトップシートと芯の接触表面に固定されるか、部分的に固定されるが、周囲または端には固定されず、また特にバックシートには決して固定されない。
【００３２】
接着剤は均一な連続層、パターン化された層、または接着剤の離れた線、螺旋、玉またはスポットの列で施される。接着剤の付着は、通常１９８６年３月付Ｍｉｎｅｔｏｌａらの米国特許第４，５７３，９８６号に開示されているような、接着剤のフィラメントのオープンパターンネットワークを含むか、１９７５年１０月付のＳｐｒａｇｕｅ，Ｊｒの米国特許第３，９１１，１７３号、１９７８年１１月２２付のＺｉｅｋｅｒらの米国特許第４，７８５，９９６号および１９８９年６月２７付のＷｅｒｅｎｉｃｚの米国特許第４，８４２，６６６号に示されている装置と方法で説明されている、螺旋パターンに渦巻き状に巻かれた接着剤のフィラメントの複数の線を有するフィラメントのオープンパターンネットワークを含む。熱／圧力による結合の、もう１つの使用できる方法が、１９８９年８月８日付Ｂａｌｌらの米国特許第４，８５４，９８４号に記載されている。
【００３３】
トップシート１２と開口されたプラスチックフィルム１５は、替わりに、Ｍｅｒｚらの米国特許第４，９９５，９３０号に教示されているように、複合体構造に一体化して形成することができる。
【００３４】
用語「コンポジット」「コンポジット構造」または「組み合わせ」は、本明細書で使用されているように、トップシート１２の部分がフィルム１５に結合しているか、フィルム１５の部分がトップシート１２に結合し、それらが一体化して取り付けられている関係を意味する。
【００３５】
高空隙容量捕捉分配層（High Void Volume Acquisition Distribution Layers）：
図３と４を参照して、出願人の発明の改良された吸収性製品の最初の実施態様は、六角形パターンを与えられ、３次元の開口されたフィルム５６で作られた捕捉分配層４２を利用する。六角形パターンは、例示のために使用されるが、本明細書に記載のすべてのフィルムについて、他のパターンを使用してもよいことを理解すべきである。他のパターンの例には、円形,卵形,楕円形,多角形または他の適したパターンまたはパターンの組み合わせが含まれる。六角形パターンは複数の隣接した六角形、即ち細胞５８を形成する。好適な実施形態において、六角形パターンは８．７５メッシュ（「メッシュ」は１インチの長さの中に並んだ細胞５８の数）に基づいている。
【００３６】
８．７５のメッシュ数が好ましいが、２から４０または、より好適には４から２５を使用してもよい。好適には、各細胞５８には、液体が運ばれるとできるだけ早く、放出液体が３次元の開口されたフィルム５６を通して獲得されるように、十分大きな、孔径、例えば５９ミルを有する開口６０が与えられる。
【００３７】
図３の線５−５に沿ってとられた、フィルム５６の拡大断面図である図４を特に参照して、３次元の開口されたフィルム５６は、体に面する側、即ち雌側６２、および衣服に面する側、即ち雄側６４を有する。トップシート１２の衣服に面する側３４は、開口されたフィルム５６の雌側６２と緊密に接触して維持されていることが好適である。トップシート１２がフィルム５６との接触を維持することが好ましい。
【００３８】
図４で示されるように、フィルム５６はトップシート１２と吸収性芯の間に位置する。開口されたプラスチックフィルム５６は、複数の毛細管６６を有する３次元構造であって、それぞれの毛細管は基底開口部６８と先端開口部７０を有する。毛細管６６の先端開口部７０は吸収性芯１６と緊密に接触し、好適には先端開口部７０は、この緊密な接触を確実にするために、芯１６に固定される。毛細管６６の先端開口部７０だけが芯１６と密接に接触し、それによって、側部のこぼれを与えている空隙空間（void space）７４が本質的に妨げられないで留まる。陸領域（land area）７２は、隣接した開口されたプラスチックフィルム５６の雌側６２上の、隣接した開口６０の間に形成される。好適には、空隙容量空間（void volume space）７４(図４)は、各細胞５８の間の液体の流路を与える、開口されたプラスチックフィルム５６の雄側６４上に形成される。空隙容量空間７４と先端開口部空間７０の比率は２：１である。３次元の開口されたフィルム５６は、ロフト７５を有し、即ち、雌側６２上の表面と雄側６４上の平坦な表面の間の距離は０．０１７５インチから０．１２５インチ、より好ましくは０．０３５インチから０．１００、最も好ましくは０．０５０インチである。開口されたプラスチックフィルム５６は、好適には約０．８９０ｇ／ｃｃから０．９９０ｇ／ｃｃの範囲、より好ましくは０．９２０ｇ／ｃｃから０．９６０ｇ／ｃｃの範囲の密度を有する。開口されたフィルム５６は、約０．１０から約１５の範囲、より好ましくは約１．５から約８．５の範囲の溶融指数を有するのが好ましい。
【００３９】
表面エネルギー勾配
形成されたフィルムまたは不織布のトップシート１２は、界面活性剤で長く処理される。トップシートの表面エネルギーの量は、液体が純粋に疎水性の表面上で玉になり、例えばおむつの漏れを生じる点においてのみ重大である。Ｔｈｏｍａｓの４，３５１，７８４号で教示されているように、コロナ処理だけが親水性の形成フィルムを作るのに有効であることが示されており、または好適には、Ｔｈｏｍａｓの４，４５６，５７０で教示されているように、易動性界面活性剤が使用されている。トップシートはまた、噴霧、ローリングまたは他のコーティング手段によって、界面活性剤でコーティングできる。
【００４０】
しかし、これらの同一の周知の方法は、捕捉分配層１５に適用された場合、獲得速度と再濡れ値に対して、適切な性能が得られたが、より優れた性能は得られなかった。従来の技術の教示にもかかわらず、出願人は、幾分、親水性のトップシート１２と、より親水性の捕捉分配層１５とを併用することによって、最高の性能が達成されることを見出した。
【００４１】
好適な実施形態において、トップシート１２はＲａｌｅｙの４，３１７，７９２号、Ｍｕｌｌａｎｅの４，３２４，２４６号および／またはＲａｄｅｌの４，３４２，３１４号に記載されている形成されたフィルムであり、捕捉分配層１５は、上述のように高空隙容量型である。別の実施形態では、トップシート１２は、不織布であってもよく、捕捉分配層１５は、Ｔｈｏｍｐｓｏｎの４，２９２，１３５号、Ｒａｌｅｙの４，３１７，７９２号、Ｍｕｌｌａｎｅの４，３２４，２４６号および／またはＲａｄｅｌの４，３４２，３１４号の形成されたフィルムであってもよい。すべてのトップシート１２型と組み合わせたすべての捕捉分配層１５型は、本発明の表面エネルギー勾配から利益を受ける。好適な実施形態の形成されたフィルムのトップシート１２において、Ａｔｍｅｒ社によりＡｔｍｅｒ１００とコードされて販売されている界面活性剤を、Ｒａｌｅｙの'７９２特許に記載されているのと類似した、形成フィルムに１，５００−１０，０００ｐｐｍ添加した。より好適には、４，０００−８，０００ｐｐｍを使用し、最も好適には７，０００ｐｐｍを使用する。Ａｔｍｅｒ１００を６，０８０ｐｐｍ添加したトップシート１２は、平均バスケット沈没時間が４５．２秒である。他の機能的実施形態では、Ｓｏｕｔｈ  Ｃａｒｏｌｉｎａ，ＳｉｍｐｓｏｎｖｉｌｌｅのＢＢＡ社が販売している、親水性処理をした１７ｇｓｍのスパンボンド（ｓｐｕｎ  ｂｏｎｄｅｄ）ポリプロピレン不織布のトップシートを使用する。このトップシートのバスケット沈没時間は、９．５秒である。
【００４２】
好適な実施形態の捕捉分配層１５は、Ｔｅｃｈｍｅｒが販売しているコード番号ＰＭ１１９３０Ｅ６３の樹脂を混合した易動性界面活性剤を１０，０００−３０，０００ｐｐｍを含む。好適な実施形態では、２０，０００ｐｐｍの界面活性剤を含む捕捉分配層のバスケット沈没時間は、３．５秒である。この高空隙容量捕捉分配層１５は、ＡｑｕｉＤｒｙＯ  ＡＤＬとして知られ、Ｔｒｅｄｅｇａｒ  Ｆｉｌｍ  Ｐｒｏｄｕｃｔ社によって販売されている。例えば、Ｒａｌｅｙの’７９２に記載のフィルムと類似したフィルムで、界面活性剤を添加していないか、または類似の処理をしていないフィルムは、２分（１２０秒）未満で沈没しなかったため、疎水性と見なされた。
【００４３】
試験データ
バスケット沈没時間試験（Basket Sink Time Test）
上で考察したように、親水性または表面エネルギーの通常の試験は、形成されたフィルム上で効果的に実施できない。従って別法として、バスケット沈没時間試験を用いた。試験方法は、一般的にＥＤＡＮＡ  １０．３−９９に記載されているが、本出願では、僅かに修正されている。本法では、試験する材料片をローリング（以下に規定する仕方で）すること、および図５に示すように当該材料をワイアバスケット  １８０に置くことを含む。ついで、ワイアバスケット  １８０を約２５ｍｍの高さから、水道水の入った十分大きな容器に落とす。バスケット  １８０を放した瞬間からバスケット  １８０が完全に沈むまでの時間を記録する。この時間が２分以上の場合は、材料は疎水性であり、時間測定を中止する。
【００４４】
試験する材料は、２３±２°Ｃおよび相対湿度５０±５％の標準的実験室の環境に、少なくとも２４時間置かなければならない。
【００４５】
バスケット  １８０は、開放端を有するシリンダー状のワイアバスケットである。バスケット  １８０の直径は、約５０ｍｍで、長さは約８０ｍｍである。バスケット  １８０は約０．５の銅ワイアで作られ、目標質量３ｇで構築されている。そのようなバスケット  １８０は、フランスのＮｏｖｉ  Ｐｒｏｆｉｂｒｅが扱っている。
【００４６】
試験する材料は、幅７６ｍｍで、５グラムの質量になるだけの十分な長さに切断する。材料は、雌側を外側にして、きちんと且つゆるく巻き、バスケット  １８０の中に置く。水道水は、試験に先立って実験室の環境温度に馴染ませ、従って２３±２°Ｃでなければならない。材料を含むバスケット  １８０は、水道水の表面から２５ｍｍの高さに置く。バスケット  １８０を水に落とし、放した時から時間を計る。バスケット  １８０が完全に水の表面の下に沈んだ時に、時間を記録する。２分が経過したならば、試験を終了し、１２０秒を超す時間を記録する。同じ材料の更に２つのサンプルで試験を繰り返す。３つの時間を平均し、ＢＳＴ（バスケット沈没時間）を決定する。
【００４７】
サンプルが１２０秒の限度に近い試験結果を平均するために、あるサンプルでは、１２０秒を超えて時間を計る必要のある場合がある。例えば、先の試験が１２０秒未満で、後の試験が１２０秒に達した場合、後の試験は、先の試験と平均するために、１２０秒を超えて記録される。同様に、先の試験が１２０秒を超え、後の試験が１２０秒未満の場合、１２０秒を超す試験は破棄し、もう１つの試験を行い、１２０秒未満の試験と平均する。
【００４８】
結果が１２０秒に近い場合、必要な試験データを集め、その材料の親和性を計算することが重要である。この種の平均は、本出願に関連した出願人の試験の収集では経験しなかった。
【００４９】
本発明の譲渡人は、捕捉分配層（ＡＤＬ）について、登録商標「ＡｑｕｉＤｒｙ」を申請した。この用語を用いる場合、それは革新的な高空隙容量の形成されたフィルム物質を示す。
【００５０】
この方法を用いて次のデータを収集した。
2005533561.tif 000003
【００５１】
上表から判るように、Ａｔｍｅｒ１００で処理したＲａｌｅｙのトップシート１２、および親水性処理をした不織布のトップシート１２は、幾分親水性であるが、ＡｑｕｉＤｒｙ  ＡＤＬ１５はより親水性である。表面エネルギーの差が、獲得（捕捉）速度と再濡れ性を改善する。具体的に、また最も重要なことであるが、再濡れ性は繰り返しの放出（第二および第三）の発生で改善された。液体が捕捉分配層に引かれ、トップシート１２と捕捉分配層１５の間の表面エネルギーの勾配のために、捕捉分配層によってより速く、均一に広がる。
【００５２】
本発明の最も好適な実施形態は、高空隙容量捕捉分配層１５の使用であるが、有益な効果はまた、捕捉分配層１５の中に置かれている形成フィルムの早期のバージョンで達成してもよい。同様に、最も好適な実施形態では、形成フィルムのトップシート１２を用いるが、不織布および他のトップシート１２も本発明から利益を受ける可能性がある。
【００５３】
上記から、出願人の発明は、吸収されていない液体が、飽和した芯の材料の領域から、吸収のための不飽和の芯の材料の領域に流れるので、繰り返しの放出中、および放出後に使用者が感じる湿り感を減らすかまたは除く。出願人の発明は、吸収されていない液体を、芯の材料１６の不飽和領域に再度方向づけるが、吸収されていない液体とトップシート１２との実質的な接触を防ぐ。出願人の発明は、トップシート１２の湿りの不快感を防ぐが、単一の点で多数の放出を受ける能力を提供する。
【００５４】
しみ通し（strikethrough）と再濡れ試験
しみ通しは、吸収性製品の液体獲得速度の指標である。しみ通しは通常、秒の時間で表される。しみ通しの値は、低い方が好ましい。再濡れは、吸収性製品に圧力が加えられた時に、吸収性製品の表面に来る液体の量の指標である。再濡れは、吸収性製品に圧力が加えられた時に、表面に吸収される液体の、通常グラムで表される重量である。本出願のためのデータを収集するために、次の試験手順を用いた。
【００５５】
試験は、放出点に、各放出が設定した液体の容量である、複数の放出を提供することから構成される。液体を吸収するのに必要な時間が、しみ通しである。液体が吸収された後、ついで吸収性製品は乾燥吸収紙で設定重量下で加圧される。再濡れ値を計算するために、吸収紙の重量を計測する。この手順の詳細を以下に記載する。
【００５６】
吸収性製品は、トップシート側を上向きにして解き、マスキングテープで実験机にテープダウン（tape down）し、それによって、すべての弾性脚を立てて、平坦にした吸収性製品から液体が流れ落ちるのを防ぐ。放出点を、試験が行われる製品上で選ぶ。赤ちゃんのおむつでは、放出点は吸収性芯の前端から６インチ戻り、芯の狭い範囲上に中心が置かれる。成人の失禁ブリーフでは、放出点は吸収性芯の前端から１３インチ戻り、芯の狭い範囲上に中心が置かれる。
【００５７】
７０ダイン（dyne）の食塩溶液の製剤を調製し、吸収性製品のしみ通しと再濡れを試験する。各試験に使用する溶液の量は、試験される吸収性製品の型による。赤ちゃんのおむつでは、放出あたり８０ｍｌを使用する。成人の失禁ブリーフでは、１６０ｍｌを使用する。
【００５８】
内径５１ｍｍで、高さが１００ｍｍの試験シリンダーを、放出点上に中心をあわせる。予め決めた量の食塩溶液を、試験シリンダーに注ぐ。液体がサンプルのトップシート表面に接触する時に、ストップウオッチを始動する。５１ｍｍのシリンダーの底に液体がなくなった時に、ストップウオッチを停止する。この点でのストップウオッチの時間が最初の放出のしみ通し時間を示す。
【００５９】
ついで、サンプルからシリンダーを取り去り、サンプルの芯に食塩溶液が吸収されるように、１０分経過させる。１０分経過後、予め乾燥状態の重量を測定した、１０枚の４”ｘ４”の乾燥吸収力ろ紙の積み重ねを、放出点上に置く。８ポンドの４”ｘ４”の錘を積み重ねの最上部にゆっくりと置く。錘をろ紙の積み重ね最上部に２分留めた後、錘を取り去り、湿ったろ紙を取り除き、重量を計る。ろ紙の乾燥重量をろ紙の湿重量から差し引き、最初の放出の再濡れ値（グラム）を決定する。
【００６０】
第二の放出は、最初の放出と同じ手順に従い、同じ吸収性製品上で実施する。即ち、５１ｍｍの内径のシリンダーを再度、同じ放出点上に中心を置き、予め定めた量の食塩溶液を、シリンダー内のサンプルに注ぎ、ストップウオッチを始動して、しみ通し時間を測定する。
【００６１】
液体が吸収され、第二の放出のしみ通し時間を記録した後、サンプルからシリンダーを取り去り、ストップウオッチを再設定し、１０分間経過させる。１０分経過後、２０枚の４”ｘ４”の乾燥吸収ろ紙の積み重ねを、放出点の上に置く。再び、８ポンドの４”ｘ４”の錘をゆっくりと積み重ねの最上部に置く。この吸収ろ紙の積み重ねと８ポンドの錘を、サンプルの最上部に２分間置く。２分後、錘と濡れたろ紙を取り除き、ろ紙の重量を湿った状態で計量し、前に測定したろ紙の乾燥重量を湿った重量から差し引き、第二の放出の再濡れ値を計算する。
【００６２】
上記のように、本試験は各型の吸収性製品の複数のサンプルについて実施する。ついで、複数のサンプルについて試験を平均し、試験した各放出について、平均しみ通し時間と平均再濡れ値を決定する。さらに、本試験は、各放出に使用する食塩溶液の容量を、８０ｍから約１６０ｍｌの間で調整することによって、赤ちゃんのおむつから、成人の失禁用品までの、範囲の多様な吸収性製品に有効なように調整できる。４”ｘ４”の８ポンドの錘は、吸収性製品の表面に約０．５ｐｓｉが生じるように設計される。錘の底は、錘の架け方による大きな違いを減らすために、ポリ被覆発泡パッドを有する。５１ｍｍの内径は軽量で、従って通常プラスチックで作られるが、シリンダーの重量が吸収性製品の吸収性に影響しないような、軽量の材料で作ることもできる。７０ダインの食塩水は、±５ダインの範囲で表面張力が変化してもよい。要求される７０ダイン（±５ダイン）を達成するために、通常、０．９％のＮａＣｌ（食塩）溶液を用いる。食塩溶液は、試験時に、それが実験室温度、約７５°Ｆであることを確実にするために、事前に調製しなければならない。
【００６３】
下表のデータは、第二の繰り返し放出の発生時に、請求項に示した本発明を使用した吸収性製品の獲得速度および再濡れ値が、従来の技術に対して如何に優れているかを示している。
2005533561.tif 000004
【００６４】
本明細書で、本発明を実施例によって説明するが、当業者は多様な変更を行ってよい。例えば、多様な幾何形状、材料および多層フィルムの組み合わせは本発明の範囲内である。
【００６５】
本発明をおむつ、失禁用品、衛生ナプキン、および関連製品に関連して記載したが、もう１つの実施例として、本発明の吸収性製品は、吸収性材料が望まれる他の体のカバー（これに限定されない）を含む他の類似製品に、十分に適用できる。そのような体のカバーには、医療用おむつ、医療用ガウン、医療用スモック、オストミー器具、女性の衛生用品、体移動シート、液体回収袋、産業用クリーンルームの衣服およびその他の製品が含まれる。
【００６６】
従って、本発明は、これまでの記載から明白であると考える。説明した、または記載した本方法と吸収性製品は、好適であるとして特徴づけられているが、請求項で定義された本発明の精神と範囲から外れることなく、多様な変更と修正ができることは明白である。
【図面の簡単な説明】
【００６７】
【図１】トプシートと芯の間に形成フィルム層を有する、通常の吸収性製品の断面図である。
【図２】形成フィルムの断面図である。
【図３】捕捉分配層として使用される高空隙容量の形成フィルムの、体に面する側の平面図である。
【図４】トプシートとコアの間に高空隙容量の形成フィルム層を有する、通常の吸収用具の断面図である。
【図５】各種材料の表面エネルギーを試験するために使用される、ワイアバスケットの透視図である。
【符号の説明】
【００６８】
１０  吸収性製品
１２  トップシート１２
１４  バックシート
１５  捕捉分配層
１６  芯の材料
１７  側面
１８  ボディー表面
２０  衣服表面
３２  ボディーに面する側
３４  衣服に面する側
４２  捕捉分配層
５０  先細毛細管
５２  基底開口部先端開口部
５４  先端開口部
５６  開口されたフィルム
５８  細胞
６０  開口
６２  雌側
６４  雄側
６６  毛細管
６８  基底開口部
７０  先端開口部空間
７２  陸領域
７４  空隙容量空間
７５  ロフト
１８０  バスケット
【図１】
2005533561.tif 000005
【図２】
2005533561.tif 000006
【図３】
2005533561.tif 000007
【図４】
2005533561.tif 000008
【図５】
2005533561.tif 000009
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
親水性であるトップシート；
吸収性芯；および
前記トップシートと前記トップシートよりもより親水性である前記吸収性芯との間の捕捉分配層であって、形成フィルムである捕捉分配層：
を含む吸収性製品。
【請求項２】
当該トップシートが形成フィルムである、請求項１に記載の吸収性製品。
【請求項３】
当該トップシートが不織布である、請求項１に記載の吸収性製品。
【手続補正２】
【補正対象書類名】明細書
【補正対象項目名】００６６
【補正方法】変更
【補正の内容】
【００６６】
従って、本発明は、これまでの記載から明白であると考える。説明した、または記載した本方法と吸収性製品は、好適であるとして特徴づけられているが、請求項で定義された本発明の精神と範囲から外れることなく、多様な変更と修正ができることは明白である。
本発明に関して更に以下の内容を開示する。
（１）  親水性であるトップシート；
吸収性芯；および
前記トップシートと前記トップシートよりもより親水性である前記吸収性芯との間の捕捉分配層：
を含む吸収性製品。
（２）  当該トップシートが開口された形成フィルムである、（１）に記載の吸収性製品。
（３）  当該トップシートが不織布である、（１）に記載の吸収性製品。
（４）  捕捉分配層が開口された形成フィルムである、（１）に記載の吸収性製品。
（５）  捕捉分配層が高い空隙容量を有する、（４）に記載の吸収性製品。
（６）  トップシートが不織布であり；
捕捉分配層が高い空隙容量を有する開口された真空形成フィルムである；
（１）に記載の吸収性製品。
（７）  トップシートが、約９秒から約１２０秒のバスケット沈没時間を有する、（１）に記載の吸収性製品。
（８）  捕捉分配層が約２０秒未満のバスケット沈没時間を有する、（１）に記載の吸収性製品。
（９）  トップシートが約９秒から約１２０秒のバスケット沈没時間を有し；
捕捉分配層が約９秒未満のバスケット沈没時間を有する、（１）に記載の吸収性製品。
（１０）  トップシートが約９秒から約６０秒のバスケット沈没時間を有する、（１）に記載の吸収性製品。
（１１）  捕捉分配層が約１０秒未満のバスケット沈没時間を有する、（１）に記載の吸収性製品。
（１２）  トップシートが約９秒から約６０秒のバスケット沈没時間を有し、捕捉分配層が約９秒未満のバスケット沈没時間を有する、（１）に記載の吸収性製品。
（１３）  トップシートが約１２０秒未満のバスケット沈没時間を有し、捕捉分配層がトップシートのバスケット沈没時間よりも少なくとも約３秒少ないバスケット沈没時間を有する、（１）に記載の吸収性製品。
（１４）  トップシートが約１２０秒未満のバスケット沈没時間を有し、捕捉分配層がトップシートのバスケット沈没時間よりも少なくとも約５秒少ないバスケット沈没時間を有する、（１）に記載の吸収性製品。
（１５）  親水性である開口された形成フィルムのトップシート；
吸収性芯；および
前記トップシートと前記トップシートよりもより親水性である前記吸収性芯との間の捕捉分配層：
を含む吸収性製品。
（１６）  捕捉分配層が高い空隙容量を有する、（１５）に記載の吸収性製品。
（１７）  トップシートが約２０秒から約１２０秒のバスケット沈没時間を有する、（１５）に記載の吸収性製品。
（１８）  捕捉分配層が約２０秒未満のバスケット沈没時間を有する、（１５）に記載の吸収性製品。
（１９）  トップシートが約２０秒から約１２０秒のバスケット沈没時間を有し、捕捉分配層が約２０秒未満のバスケット沈没時間を有する、（１５）に記載の吸収性製品。
（２０）  トップシートが約３０秒から約６０秒のバスケット沈没時間を有する、（１５）に記載の吸収性製品。
（２１）  捕捉分配層が約１０秒未満のバスケット沈没時間を有する、（１５）に記載の吸収性製品。
（２２）  トップシートが約３０秒から約６０秒のバスケット沈没時間を有し、捕捉分配層が約１０秒未満のバスケット沈没時間を有する、（１５）に記載の吸収性製品。
（２３）  親水性である不織布トップシート；
吸収性芯；および
前記トップシートと前記トップシートよりもより親水性である前記吸収性芯との間の捕捉分配層：
を含む吸収性製品。
（２４）  捕捉分配層が開口された形成フィルムである、（２３）に記載の吸収性製品。
（２５）  捕捉分配層が高い空隙容量を有する、（２４）に記載の吸収性製品。
（２６）  トップシートが約９秒から約１２０秒のバスケット沈没時間を有する、（２３）に記載の吸収性製品。
（２７）  捕捉分配層が約６秒未満のバスケット沈没時間を有する、（２３）に記載の吸収性製品。
（２８）  トップシートが約９秒から約１２０秒のバスケット沈没時間を有し、捕捉分配層が約６秒未満のバスケット沈没時間を有する、（２３）に記載の吸収性製品。
（２９）  トップシートが約９秒から約６０秒のバスケット沈没時間を有する、（２３）に記載の吸収性製品。
（３０）  捕捉分配層が約４秒未満のバスケット沈没時間を有する、（２３）に記載の吸収性製品。
（３１）  トップシートが約９秒から約６０秒のバスケット沈没時間を有し、捕捉分配層が約４秒未満のバスケット沈没時間を有する、（２３）に記載の吸収性製品。
（３２）  トップシートが約１２０秒未満のバスケット沈没時間を有し、捕捉分配層が少なくとも約５秒未満のバスケット沈没時間を有する、（１５）に記載の吸収性製品。
（３３）  トップシートが約１２０秒未満のバスケット沈没時間を有し、捕捉分配層がトップシートのバスケット沈没時間よりも少なくとも約５秒少ないバスケット沈没時間を有する、（２３）に記載の吸収性製品。
【国際調査報告】
2005533561.tif 000010
2005533561.tif 000011
2005533561.tif 000012
2005533561.tif 000013
2005533561.tif 000014
2005533561.tif 000015